(57)【要約】      （修正有）【課題】寝返りをうったときに自動的に枕の高さを変えてくれる枕を提供する。【解決手段】寝たときに、肩または背中が敷布団に当たる幅が、仰向けに寝たときには広く、横向きに寝たときには狭くなることを利用して、仰向けと横向きとを判別し、この判別に応じて、枕に内蔵させた袋に、気体または液体を送り込んだり排出したりして、自動的に、寝ている人にとっては無意識の内に、また、ほとんど雑音を発することなく静かに、変化のスピードも穏やかに、枕の高さを変更する機能を持たせる。枕に内蔵させた袋には、複数の仕切りを設け、気体または液体を送り込んだりしたときに、そのことによって平衡が失われることのない様にする。また、内蔵させる袋は機密性で独立した複数の袋を重ね合わせた構造として、大きい人小さい人等、人によって枕の高さの好みの違いに応じて、予め、高さの調整範囲を、選択できるようにする。【選択図】  図１
2005342457.tif 000002
【特許請求の範囲】
【請求項１】
枕（１）に、肩の下に敷けるような枕の底面を伸ばした縁（２）を設け、寝たときに肩または背中が敷布団に当たる幅が、仰向けに寝たときには広く、横向きに寝たときには狭くなることを利用して、寝た人の姿勢を判別する構造（３）とする。  枕の中に気体または液体（４）を容れることの出来る袋（５）を設け、これと連結して、気体または液体を貯蔵し送り出す装置（６）を設けて、枕の縁（２）での判別に応じて自動的に、枕に内蔵した袋に、気体または液体を送り込んだり、排出したりして、枕の高さを変更する構造（７）にした枕。
【請求項２】
枕（１）に内蔵させた袋（５）には、複数の仕切り壁（８）を設け、気体または液体を送り込んだりしたときに、そのことによって平衡が失われることのない構造（９）にした枕。
【請求項３】
また、内蔵させる袋は機密性で独立した複数の袋を重ね合わせた構造（１０）として、大きい人小さい人等、人によって枕の適切な高さが違ったり、高さの好みが違うのに応じて、予め、高さの調整範囲を、例えば０袋〜３袋とか、１袋〜５袋とか選択できる構造（１１）にした枕。
【請求項４】
枕の縁（２）で寝た人の姿勢を判別する（３）とき、肩または背中が敷布団に当たる幅が、仰向けに寝たときには広く、横向きに寝たときには狭くなることを利用するが、この幅を感知するのに使用する情報は体重・体温・電気伝導性等もしくはこれらの複合とし、これらの情報を面で感知するのを理想とし、体に平行な直線で感知するのを次とし、点で感知する場合は、腕を前に伸ばして横向きに寝たときに、敷布団と触れる部分が幅広すなわち仰向けに寝ていると誤認してしまうことを避けるため、体に平行な直線上の複数の点で同時に感知したときにその直線上に体があると認識する構造（１２）の縁（２）を持った枕。
【発明の詳細な説明】
【発明の詳細な説明】
【技術分野】
【０００１】  この発明は、就寝時等に使用する枕であって、寝返りをうったときに、姿勢の変化に応じて、枕を適切な高さに、自動的に眠ったままで変更してくれる枕に関するものである。
【背景技術】
【０００２】  従来、就寝時等に使用する枕には、高過ぎたり低過ぎたりして、肩や首を痛めたり、気道が圧迫されて無呼吸を発生させたり、鼾をかいたりすることを防ぐ目的で、様々な主に形や材質を工夫したものが使われている。
このとき、仰向けに寝たときには低い枕が、横向きに寝たときには高い枕が適していることが一般に知られている。
【発明が解決しようとする課題】
【０００３】  しかし、就寝の当初に適切な高さに調整したとしても、寝返りをうったときには姿勢の変化によって、調整済みの枕の高さが不適切になることが発生する。
寝返りをうったときに再調整するためには、目を覚ますにせよ無意識のままにせよ、枕に手を加えて形を変えるとか、方向や位置を変える等の何らかの行為を必要とするため、十分な再調整が出来ないで、不適切な姿勢のまま眠り続けることが発生する。
本発明は、以上の問題点を解決し、寝返りをうって姿勢が変化したときに、意識的にも無意識的にも何ら手を加えることなく、自動的に眠ったままで、枕の高さを変更してくれるようになされたものである。
【課題を解決する手段】
【０００４】  枕（１）に、肩の下に敷けるような枕の底面を伸ばした縁（２）を設ける。
この縁で、寝たときに肩または背中が敷布団に当たる幅が、仰向けに寝たときには広く、横向きに寝たときには狭くなることを利用して、寝た人の姿勢を判別する。
枕の中に気体または液体（４）を容れることの出来る袋（５）を設け、これと連結して、気体または液体（４）を貯蔵し送り出す装置（６）を設ける。
枕の縁（２）での判別に応じて自動的に、枕に内蔵した袋（５）に、気体または液体（４）を送り込んだり、排出したりして、枕（１）の高さを変更する。
枕に内蔵させた袋（５）には、複数の仕切り壁（８）を設け、気体または液体（４）を送り込んだりしたときに、そのことによって平衡が失われることのないようにする。
また、内蔵させる袋（５）は機密性で独立した複数の袋を重ね合わせた構造（１０）として、大きい人小さい人等、人によって枕の適切な高さが違たり、高さの好みが違うのに応じて、予め、高さの調整範囲を、例えば０袋〜３袋とか、１袋〜５袋とか選択できるようにする。
また、高さの調整に気体や液体（４）を使用することによって、ほとんど雑音を発することなく静かに、変化のスピードも穏やかに、安眠を妨げないようにする。
【発明を実施するための最良の形態】
【０００５】  以下、本発明の実施の形態を説明する。
（イ）枕（１）に、肩の下に敷けるような枕の底面を伸ばした縁（２）を設ける。
（ロ）縁（２）の内部には寝た人の姿勢を判別する装置（３）を設ける。「寝た人の姿勢を判別する装置（３）」は、体重・体温・電気伝導性等を使って姿勢を判別し伝達するものであり、電気・電子的なものであると機械的なものであると、その他のものであるとを問わない。
肩の下に敷くことが可能な程度に薄い装置であることを要す。
ここでは体重を使う下記の装置を例示する。
図２に示すような、十分な柔軟性と機密性と強度を持った材料で作った細いパイプの一端を閉じ、液体を充填し、一端に図２のようなバネ付きのピストン（以下、「ピストン１」と言う）を挿入して、そのピストン１の一端を露出させた状態で封じ込め、このパイプを横倒しにして体重をかけたときにパイプが圧迫されてピストン１が押し出されるようにする。このとき、一定の限度でピストン１が押し出されるようにする。体重がかからなくなったときは、バネの反発力でピストン１がパイプの中に押し戻される。このようなパイプを体と平行な方向に複数並べて、体重のかかっている部分とかかっていない部分を感知して、体重のかかっている部分の幅が広いとき、即ち、押し出されているピストン１が多いときは仰向けに寝ていると判別し、体重のかかっている部分の幅が狭いとき、即ち、押し出されているピストン１が少ないときは横向きに寝ていると判別する。
ここで体重を感知する部分は、面で感知するのを理想とし、体に平行な直線で感知するのを次とする。点で感知する場合は体に平行な直線上の複数の点で同時に感知したときにその直線状に体があると認識することが必要である。腕を前に伸ばして横向きに寝たときに、敷布団と触れる部分が幅広すなわち仰向けに寝ていると誤認してしまうことを避けるためである。体温・電気伝導性等を使う場合も同様である。
（ハ）枕（１）本体の内部に、十分な柔軟性と機密性と強度を持った材料で作った気体または液体を容れることの出来る複数の袋を重ね合わせた袋（５）を設ける。
１つの袋は、全体として薄い箱状で、内部は（穴が開いたり、縦にスリットを入れたり、気体または液体が流通できる）仕切り壁（８）で細分されており、気体または液体（４）が入ったときにも丸くならず、平衡が失われることのない様に、全体として薄い箱状の形を維持できるようにする。
また、それぞれに一定以上の圧力を逃がす安全弁を設ける。
全体の袋（５）は、このような袋を複数重ね合わせた形状とし、大きい人小さい人等、人によって枕の適切な高さの違い、好みの違いに応じて、予め、使用する袋を選択することによって、高さの調整範囲を選択することができるようにする。
（ニ）（ロ）および（ハ）と連結して、気体または液体（４）を貯蔵し送り出す装置（６）を設ける。
電動空気圧縮機と、圧縮空気を貯蔵するタンクと、タンク内の圧力を感知して電動空気圧縮機の電源を自動的に開閉するスイッチ、および液体を使用する場合には液体を貯蔵するタンクからなる装置で、タンクには一定以上の圧力を逃がす安全弁を設ける。これによりタンク内の圧力を常に一定の範囲内に維持する。
（ホ）（ロ）および（ハ）と（ニ）の連結部に、（ロ）で横向きに寝ていると判別したときは（ニ）から（ハ）に気体または液体を送って袋を膨らませて枕を高くし、仰向けに寝ていると判別したときは、（ハ）から気体または液体を抜いて袋を収縮させて枕を低くする装置を設ける。
ここでは枕内の袋に空気を直接使った下記の装置を例示する。
図２に示すような、十分な機密性と強度を持った材料で作った液体を容れることの出来る容器とパイプとピストンとバルブ等から成る装置とする。
容器には、（ロ）のピストン１が直結しており、（ロ）でピストン１が押し出されると、押し出されたピストンの体積だけ容器の中の液体がこれに直結しているパイプ内に押し出され、このパイプ内のピストン（以下、「ピストン２」と言う）を押す。（ロ）で押し出されるピストン１が無い（枕が使われていない）ときはピストン２は当初の位置にとどまり、（ロ）で押し出されるピストン１が少ない（横向きに寝ている）ときはピストン２は小さく押し出され（ロ）で押し出されるピストン１が多い（仰向けに寝ている）ときはピストン２は大きく押し出される。
このピストン２の動きにより、図２のバルブ１（圧縮空気を（ハ）の袋に送るバルブ）とバルブ２（（ハ）の袋内の空気を抜くバルブ）を開閉させる。即ち、ピストン２が当初の位置に在るときはバルブ１とバルブ２は共に閉じ、ピストン２が小さく押し出されるときはバルブ１は開きバルブ２は閉じ、ピストン２が大きく押し出されるときはバルブ１は閉じバルブ２は開く。
バルブ１には、袋内が一定の空気圧になったらバルブが閉まる安全弁のような機能を付ける。
（ヘ）予め、高さの調整範囲を設定できるように、（ホ）による各袋への圧縮空気の出し入れを遮断する装置を（ハ）または（ホ）に設ける。
（ト）枕内の袋に液体を使うときは、（ホ）の圧縮空気を液体のタンクに送って液体を枕内の袋に送るか、または、液体のタンクをシリンダーとしてピストンで送り出すか液体のタンクから別のポンプで送り出す。
【発明の効果】
【０００６】  本発明を使用すると、就寝時に寝返りをうったときにも、寝ている人の姿勢に応じて枕の高さを自動的に変化させて、眠ったまま、枕を常に適切な高さに維持することができ、枕が高過ぎたり低過ぎたりすることを原因として、肩や首を痛めたり、気道が圧迫されて無呼吸を発生させたり鼾をかいたりすることを防ぐことができる。
また、気体または液体を使用することにより、ほとんど雑音を発することなく静かに、変化のスピードも穏やかに、安眠を妨げることなく枕の高さを変更することができる。
大きい人小さい人等、人によって枕の適切な高さの違い、好みの違いに応じて、予め、高さの調整範囲を選択することができる
【図面の簡単な説明】
【図１】  本発明の正面図
【符号の説明】
（１）枕（本体）
（２）枕の縁（寝た人の姿勢を判別する装置を内蔵する）
（３）寝た人の姿勢を判別する装置（例）
（４）気体または液体
（５）枕に内蔵された袋
（６）気体または液体を貯蔵し送り出す装置
（８）仕切り壁
（１５）電源コード
（１６）枕本体と（６）を結ぶパイプ
（１７）
【発明を実施するための最良の形態】の（ホ）、（ロ）での判別に応じて枕に内蔵された袋に気体または液体を送ったり抜いたりする装置（例）
（１８）（３）の寝た人の姿勢を判別する装置（例）の体重を感知する装置のパイプ
（１９）（３）のピストン１
（２０）ピストン１のバネ
（２１）ピストン１のストッパー
（２２）（１７）の
【発明を実施するための最良の形態】の（ホ）の装置の液体を容れることの出来る容器
（２３）（１７）の
【発明を実施するための最良の形態】の（ホ）の装置のピストン２
（２４）（１７）の
【発明を実施するための最良の形態】の（ホ）の装置ののバルブ１（圧縮空気を枕に内蔵された袋に送るバルブ）
（２５）（１７）の
【発明を実施するための最良の形態】の（ホ）の装置のバルブ２（枕に内蔵された袋内の空気を抜くバルブ）
（２６）枕に内蔵された袋の個別の袋ごとに付ける安全弁と予め高さの調整範囲を選択するための調節コック
（２７）敷布団
【図１】
2005342457.tif 000003
【図２】
2005342457.tif 000004
【図３】
2005342457.tif 000005
【図４】
2005342457.tif 000006
【手続補正書】
【提出日】平成16年7月30日(2004.7.30)
【手続補正１】
【補正対象書類名】明細書
【補正対象項目名】全文
【補正方法】変更
【補正の内容】
【発明の詳細な説明】
【技術分野】
【０００１】  この発明は、就寝時等に使用する枕であって、寝返りをうったときに、姿勢の変化に応じて、枕を適切な高さに、自動的に眠ったままで変更してくれる枕に関するものである。
【背景技術】
【０００２】  従来、就寝時等に使用する枕には、高過ぎたり低過ぎたりして、肩や首を痛めたり、気道が圧迫されて無呼吸を発生させたり、鼾をかいたりすることを防ぐ目的で、様々な主に形や材質を工夫したものが使われている。
このとき、仰向けに寝たときには低い枕が、横向きに寝たときには高い枕が適していることが一般に知られている。
【発明の開示】
【発明が解決しようとする課題】
【０００３】  しかし、就寝の当初に適切な高さに調整したとしても、寝返りをうったときには姿勢の変化によって、調整済みの枕の高さが不適切になることが発生する。
寝返りをうったときに再調整するためには、目を覚ますにせよ無意識のままにせよ、枕に手を加えて形を変えるとか、方向や位置を変える等の何らかの行為を必要とするため、十分な再調整が出来ないで、不適切な姿勢のまま眠り続けることが発生する。
本発明は、以上の問題点を解決し、寝返りをうって姿勢が変化したときに、意識的にも無意識的にも何ら手を加えることなく、自動的に眠ったままで、枕の高さを変更してくれるようになされたものである。
【課題を解決するための手段】
【０００４】  枕（１）に、肩の下に敷けるような枕の底面を伸ばした縁（２）を設ける。
この縁で、寝たときに肩または背中が敷布団に当たる幅が、仰向けに寝たときには広く、横向きに寝たときには狭くなることを利用して、寝た人の姿勢を判別する。
枕の中に気体または液体（４）を容れることの出来る袋（５）を設け、これと連結して、気体または液体（４）を貯蔵し送り出す装置（６）を設ける。
枕の縁（２）での判別に応じて自動的に、枕に内蔵した袋（５）に、気体または液体（４）を送り込んだり、排出したりして、枕（１）の高さを変更する。
枕に内蔵させた袋（５）には、複数の仕切り壁（８）を設け、気体または液体（４）を送り込んだりしたときに、そのことによって平衡が失われることのないようにする。
また、内蔵させる袋（５）は機密性で独立した複数の袋を重ね合わせた構造（１０）として、大きい人小さい人等、人によって枕の適切な高さが違たり、高さの好みが違うのに応じて、予め、高さの調整範囲を、例えば０袋〜３袋とか、１袋〜５袋とか選択できるようにする。
また、高さの調整に気体や液体（４）を使用することによって、ほとんど雑音を発することなく静かに、変化のスピードも穏やかに、安眠を妨げないようにする。
【発明の効果】
【０００５】  本発明を使用すると、就寝時に寝返りをうったときにも、寝ている人の姿勢に応じて枕の高さを自動的に変化させて、眠ったまま、枕を常に適切な高さに維持することができ、枕が高過ぎたり低過ぎたりすることを原因として、肩や首を痛めたり、気道が圧迫されて無呼吸を発生させたり鼾をかいたりすることを防ぐことができる。
また、気体または液体を使用することにより、ほとんど雑音を発することなく静かに、変化のスピードも穏やかに、安眠を妨げることなく枕の高さを変更することができる。
大きい人小さい人等、人によって枕の適切な高さの違い、好みの違いに応じて、予め、高さの調整範囲を選択することができる
【発明を実施するための最良の形態】
【０００６】  以下、本発明を実施するための最良の形態を説明する。
（イ）枕（１）に、肩の下に敷けるような枕の底面を伸ばした縁（２）を設ける。
（ロ）縁（２）の内部には寝た人の姿勢を判別する装置（３）を設ける。
「寝た人の姿勢を判別する装置（３）」は、体重・体温・電気伝導性等を使って姿勢を判別し伝達するものであり、電気・電子的なものであると機械的なものであると、その他のものであるとを問わない。
肩の下に敷くことが可能な程度に薄い装置であることを要す。
ここでは体重を使う下記の装置を例示する。
図２に示すような、十分な柔軟性と機密性と強度を持った材料で作った細いパイプの一端を閉じ、液体を充填し、一端に図２のようなバネ付きのピストン（以下、「ピストン１」と言う）を挿入して、そのピストン１の一端を露出させた状態で封じ込め、このパイプを横倒しにして体重をかけたときにパイプが圧迫されてピストン１が押し出されるようにする。このとき、一定の限度でピストン１が押し出されるようにする。体重がかからなくなったときは、バネの反発力でピストン１がパイプの中に押し戻される。このようなパイプを体と平行な方向に複数並べて、体重のかかっている部分とかかっていない部分を感知して、体重のかかっている部分の幅が広いとき、即ち、押し出されているピストン１が多いときは仰向けに寝ていると判別し、体重のかかっている部分の幅が狭いとき、即ち、押し出されているピストン１が少ないときは横向きに寝ていると判別する。
ここで体重を感知する部分は、面で感知するのを理想とし、体に平行な直線で感知するのを次とする。点で感知する場合は体に平行な直線上の複数の点で同時に感知したときにその直線状に体があると認識することが必要である。腕を前に伸ばして横向きに寝たときに、敷布団と触れる部分が幅広すなわち仰向けに寝ていると誤認してしまうことを避けるためである。体温・電気伝導性等を使う場合も同様である。
（ハ）枕（１）本体の内部に、十分な柔軟性と機密性と強度を持った材料で作った気体または液体を容れることの出来る複数の袋を重ね合わせた袋（５）を設ける。
１つの袋は、全体として薄い箱状で、内部は（穴が開いたり、縦にスリットを入れたり、気体または液体が流通できる）仕切り壁（８）で細分されており、気体または液体（４）が入ったときにも丸くならず、平衡が失われることのない様に、全体として薄い箱状の形を維持できるようにする。
また、それぞれに一定以上の圧力を逃がす安全弁を設ける。
全体の袋（５）は、このような袋を複数重ね合わせた形状とし、大きい人小さい人等、人によって枕の適切な高さの違い、好みの違いに応じて、予め、使用する袋を選択することによって、高さの調整範囲を選択することができるようにする。
（ニ）（ロ）および（ハ）と連結して、気体または液体（４）を貯蔵し送り出す装置（６）を設ける。
電動空気圧縮機と、圧縮空気を貯蔵するタンクと、タンク内の圧力を感知して電動空気圧縮機の電源を自動的に開閉するスイッチ、および液体を使用する場合には液体を貯蔵するタンクからなる装置で、タンクには一定以上の圧力を逃がす安全弁を設ける。これによりタンク内の圧力を常に一定の範囲内に維持する。
（ホ）（ロ）および（ハ）と（ニ）の連結部に、（ロ）で横向きに寝ていると判別したときは（ニ）から（ハ）に気体または液体を送って袋を膨らませて枕を高くし、仰向けに寝ていると判別したときは、（ハ）から気体または液体を抜いて袋を収縮させて枕を低くする装置を設ける。
ここでは枕内の袋に空気を直接使った下記の装置を例示する。
図２に示すような、十分な機密性と強度を持った材料で作った液体を容ることの出来る容器とパイプとピストンとバルブ等から成る装置とする。
容器には、（ロ）のピストン１が直結しており、（ロ）でピストン１が押し出されると、押し出されたピストンの体積だけ容器の中の液体がこれに直結しているパイプ内に押し出され、このパイプ内のピストン（以下、「ピストン２」と言う）を押す。（ロ）で押し出されるピストン１が無い（枕が使われていない）ときはピストン２は当初の位置にとどまり、（ロ）で押し出されるピストン１が少ない（横向きに寝ている）ときはピストン２は小さく押し出され（ロ）で押し出されるピストン１が多い（仰向けに寝ている）ときはピストン２は大きく押し出される。
このピストン２の動きにより、図２のバルブ１（圧縮空気を（ハ）の袋に送るバルブ）とバルブ２（（ハ）の袋内の空気を抜くバルブ）を開閉させる。即ち、ピストン２が当初の位置に在るときはバルブ１とバルブ２は共に閉じ、ピストン２が小さく押し出されるときはバルブ１は開きバルブ２は閉じ、ピストン２が大きく押し出されるときはバルブ１は閉じバルブ２は開く。
バルブ１には、袋内が一定の空気圧になったらバルブが閉まる安全弁のような機能を付ける。
（ヘ）予め、高さの調整範囲を設定できるように、（ホ）による各袋への圧縮空気の出し入れを遮断する装置を（ハ）または（ホ）に設ける。
（ト）枕内の袋に液体を使うときは、（ホ）の圧縮空気を液体のタンクに送って液体を枕内の袋に送るか、または、液体のタンクをシリンダーとしてピストンで送り出すか液体のタンクから別のポンプで送り出す。
【図面の簡単な説明】
【０００７】
【図１】本発明の斜視図
【図２】上方から見た断面図
【図３】側面図
【図４】枕に内蔵された袋の構造概念図
【符号の説明】
【０００８】    （１）枕（本体）
（２）枕の縁（寝た人の姿勢を判別する装置を内蔵する）
（３）寝た人の姿勢を判別する装置（例）
（４）気体または液体
（５）枕に内蔵された袋
（６）気体または液体を貯蔵し送り出す装置
（８）仕切り壁
（１５）電源コード
（１６）枕本体と（６）を結ぶパイプ
（１７）
【発明を実施するための最良の形態】の（ホ）、（ロ）での判別に応じて枕に内蔵された袋に気体または液体を送ったり抜いたりする装置（例）
（１８）（３）の寝た人の姿勢を判別する装置（例）の体重を感知する装置のパイプ
（１９）（３）のピストン１
（２０）ピストン１のバネ
（２１）ピストン１のストッパー
（２２）（１７）の
【発明を実施するための最良の形態】の（ホ）の装置の液体を容れることの出来る容器
（２３）（１７）の
【発明を実施するための最良の形態】の（ホ）の装置のピストン２
（２４）（１７）の
【発明を実施するための最良の形態】の（ホ）の装置のバルブ１（圧縮空気を枕に内蔵された袋に送るバルブ）
（２５）（１７）の
【発明を実施するための最良の形態】の（ホ）の装置のバルブ２（枕に内蔵された袋内の空気を抜くバルブ）
（２６）枕に内蔵された袋の個別の袋ごとに付ける安全弁と予め高さの調整範囲を選択するための調節コック
（２７）敷布団